(57)【要約】      （修正有）【課題】少なくとも一本のパーマロッドに接続する多機能パーマトリートメント機を提供する。【解決手段】少なくとも一本のパーマロッド９１に接続する多機能パーマトリートメント機１であって、コントロールモジュール１８と、前記コントロールモジュール１８がタイマー１８３と、電源出力装置１８１と、処理装置１８２を備え、前記タイマー１８３は前記処理装置１８２に接続し、前記電源出力装置１８１は選択的に前記タイマー１８３若しくは前記処理装置１８２に接続し、且つ前記処理装置１８２のコントロールにより前記パーマロッド９１に電流を出力し、前記処理装置１８２に接続し、且つ使用者が押す若しくは触れる入力動作を受ける入力装置１４と、前記処理装置１８２に接続し、且つ前記コントロールモジュール１８の操作インターフェースを表示する表示装置１５と、を備える。【選択図】図１Ａ
0003194490.tif 000002
【実用新案登録請求の範囲】
【請求項１】
少なくとも一本のパーマロッド(91)に接続する多機能パーマトリートメント機(1)であって、
コントロールモジュール(18)と、前記コントロールモジュール(18)がタイマー(183)と、電源出力装置(181)と、処理装置(182)を備え、前記タイマー (183)は前記処理装置(182)に接続し、前記電源出力装置(181)は選択的に前記タイマー(183)若しくは前記処理装置(182)に接続し、且つ前記処理装置(182)のコントロールにより前記パーマロッド(91)に電流を出力し、
前記処理装置(182)に接続し、且つ使用者が押す若しくは触れる入力動作を受ける入力装置(14)と、
前記処理装置(182)に接続し、且つ前記コントロールモジュール(18)の操作インターフェースを表示する表示装置(15)と、を備えることを特徴する多機能パーマトリートメント機(1)。
【請求項２】
少なくとも一本のパーマロッド(91)に接続する多機能パーマトリートメント機(1)であって、
電源出力装置(181)と、
コントロールモジュール(18)と、前記コントロールモジュール(18)はタイマー(183)と、処理装置(182)と、を備え、前記タイマー (183)は前記処理装置(182)に接続し、前記タイマー (183)若しくは前記処理装置(182)は前記電源出力装置(181)に接続することで、前記電源出力装置(181)が前記処理装置(182)のコントロールにより前記パーマロッド(91)に電流を出力し、
前記処理装置(182)に接続し、且つ使用者が押す若しくは触れる入力動作を受ける入力装置(14)と、
前記処理装置(182)に接続し、且つ前記コントロールモジュール(18)の操作インターフェースを表示する表示装置(15)と、を備えることを特徴する多機能パーマトリートメント機(1)。
【請求項３】
前記多機能パーマトリートメント機(1)にヒンジ接続し、回転可能な状態を呈するミスト発生器(17)を有し、前記ミスト発生器(17)が霧化室(171)と気化室(172)を含み、
前記霧化室(171)の底部に霧化ユニットが設けられ、前記気化室(172)の底部に気化ユニット(174)が設けられ、前記霧化ユニット(173)及び気化ユニット(174)は前記電源出力装置(181)に接続することを特徴する請求項1又は請求項2に記載の多機能パーマトリートメント機。
【請求項４】
前記ミスト発生器(17)と隣り合って設けた弧状の風吹き出し口(119)を有することを特徴する請求項3に記載の多機能パーマトリートメント機。
【請求項５】
前記弧状の風吹き出し口(119)は、前記ミスト発生器(17)の外側表面の風吹き出し口(178)の周辺に設けたことを特徴する請求項4に記載の多機能パーマトリートメント機。
【請求項６】
前記入力装置(14)は、加熱時間信号(S3)若しくは加熱温度信号(S4)を前記処理装置(182)に発することによって、前記電源出力装置(181)の給電時間又は給電量を制御することを特徴する請求項1又は請求項2に記載の多機能パーマトリートメント機。
【請求項７】
前記表示装置(15)は、前記加熱時間信号(S3)に対応する時間の長短の数値又は前記加熱温度信号(S4)に対応する温度の高低の数値を表示することを特徴する請求項6に記載の多機能パーマトリートメント機。
【請求項８】
前記処理装置(182)は、前記タイマー(183)の時間に基づいて、電源出力装置(181)の給電を停止させることを特徴する請求項7に記載の多機能パーマトリートメント機。
【請求項９】
前記パーマロッド(91)の数は、複数であって、前記多機能パーマトリートメント機(1)の外部表面に複数の前記パーマロッド(91)に対応する温度と時間の表示パネル(114)を設け、前記温度と時間の表示パネル(114)は前記パーマロッド(91)の温度及び時間設定を制御する又は表示することを特徴する請求項1又は2に記載の多機能パーマトリートメント機。
【考案の詳細な説明】
【技術分野】
【０００１】
本発明はパーマ機、トリートメント機に係り、特に髪にコールドパーマ、ウォームパーマ、ホットパーマ、冷風熱風のドライヤー乾燥、コールドパーマ、ホット、ウォームの霧化ミストトリートメントができて、多くのパーマロッドをグループ化し、個別に温度と時間をコントロールできる多機能パーマトリートメント機である。
【背景技術】
【０００２】
現在の社会で男女を問わず、皆見た目の美観、良さを意識している。中でもヘアスタイルが各種の外見感想で最も重要な部分を占めている。これが、大通りも路地も林立するヘアサロン、美容室が見える理由である。それにパーマ機、トリートメント機がヘアサロン、美容室の不可欠な設備と言える。
【０００３】
従来のパーマ機、トリートメント機はコールドパーマ、ウォームパーマ、ホットパーマ、冷風熱風のドライヤー乾燥、コールドパーマ、ホット、ウォームの霧化ミストトリートメントなど多くの機能を統合することも、人それぞれ違う髪質と、髪の多寡量に応じて随意に複数の異なるパーマロッドのパーマ時間及びパーマ温度を設定することもできない。それで、従来のパーマ機は個別のパーマロッドに対し、グループ化した温度及び時間のダブルコントロールを行うことができない。一般的には、大きめのカールをつける場合はパーマロッドを通じて髪を加熱する時間も長い。一方、小さめのカールをつける場合はかかる時間が短い。それ以外、多めの髪の量を形作る場合は該パーマロッドの温度が高くなければならない。反対に、髪の量が少ない場合は髪を傷めないために、温度が高すぎてはならない。
【０００４】
上述した状況に対し、ヘアサロン、美容室のパーマ、トリートメントの担当者は高すぎる温度、長すぎる加熱時間で髪を傷めないように、全部のパーマロッドに同じ時間で加熱するか、もしくは人間の脳で覚え、先に髪の量が少なめ、カールが少なめな部分を外すという従来のやり方しかできまない。その結果、一人のパーマ、トリートメントの担当者は一人のお客様だけにサービスを提供するしかない。もし同時に多くのお客様にサービスを提供したら、パーマ、トリートメントの担当者は入り混じったり、間違えたりし、一人のお客様の髪の加熱時間が長すぎて、もう一人のお客様の髪が加熱不足という問題が起こりやすい。コントロールしにくくて、相当に不便である。
【０００５】
なので、如何にパーマ機、トリートメント機の不便を認識し、多くの機能を統合すると同時に、「グループ化した時間のコントロール」と、「グループ化した温度のコントロール」という二重機能を実現するかは本技術分野通常の知識を持つ者の努力目標である。
【考案の概要】
【考案が解決しようとする課題】
【０００６】
本発明の主な目的はパーマ機、トリートメント機の不便を認識し、コールドパーマ、ウォームパーマ、ホットパーマ、冷風熱風のドライヤー乾燥、コールドパーマ、ホット、ウォームの霧化ミストトリートメントなど多くの美容、サロンの機能を統合することである。
【０００７】
本発明のもう一つの目的は美容師、スタイリスト、パーマ及びトリートメントの担当者がお客様それぞれ違う髪質、髪の量及び、違う部分の髪のカール具合に応じ、多くのパーマロッドに違うパーマ温度及び違うパーマ時間を設定できることにより、グループ化した時間のコントロールと、グループ化した温度のコントロールという二重機能を実現する。
【課題を解決するための手段】
【０００８】
本発明は少なくとも一本のパーマロッドに接続する多機能パーマトリートメント機であって、コントロールモジュールと、入力装置と、表示装置と、前記コントロールモジュールがタイマーと、電源出力装置と、処理装置を備え、前記タイマーは前記処理装置に接続し、前記電源出力装置は選択的に前記タイマー若しくは前記処理装置に接続し、且つ前記処理装置のコントロールにより前記パーマロッドに電流を出力し、前記処理装置に接続し、且つ使用者が押す若しくは触れる入力動作を受ける入力装置と、前記処理装置に接続し、且つ前記コントロールモジュールのコントロールパネルを表示する表示装置と、を備えることを特徴する多機能パーマトリートメント機。
【０００９】
本発明はも一種の少なくとも一本のパーマロッドに接続する多機能パーマトリートメント機であって、電源出力装置と、コントロールモジュールと、入力装置と、表示装置と、前記コントロールモジュールがタイマーと、処理装置を備え、前記タイマー は前記処理装置に接続し、前記タイマー 若しくは前記処理装置は前記電源出力装置に接続することで、前記電源出力装置が前記処理装置のコントロールにより前記パーマロッドに電流を出力し、前記処理装置に接続し、且つ使用者が押す若しくは触れる入力動作を受ける入力装置と、前記処理装置に接続し、且つ前記コントロールモジュールのコントロールパネルを表示する表示装置と、を備えることを特徴する多機能パーマトリートメント機。
【００１０】
上述のように、前記多機能パーマトリートメント機にヒンジ接続し、回転可能な状態を呈するミスト発生器を有し、前記ミスト発生器が霧化室と気化室を含み、前記霧化室の底部に霧化ユニットが設けられ、前記気化室の底部に気化ユニットが設けられ、前記霧化ユニット及び気化ユニットは前記電源出力装置に接続し、もっと詳細の実施するための形態では、前記多機能パーマトリートメント機が弧状の風吹き出し口有し、前記弧状の風吹き出し口は前記ミスト発生器と隣り合って設ける若しくは前記弧状の風吹き出し口は、前記ミスト発生器の外側表面の風吹き出し口の周辺に設ける。
【００１１】
上述のように、前記多機能パーマトリートメント機は前記入力装置が、加熱時間信号若しくは加熱温度信号を前記処理装置に発することによって、前記電源出力装置の給電時間又は給電量を制御し、もっと詳細の実施するための形態では、前記表示装置は、前記加熱時間信号に対応する時間の長短の数値又は前記加熱温度信号に対応する温度の高低の数値を表示し、前記処理装置は、前記タイマーの時間に基づいて、電源出力装置の給電を停止させる。
【００１２】
上述のように、前記多機能パーマトリートメント機は前記パーマロッドの数が複数であって、前記多機能パーマトリートメント機の外部表面に複数の前記パーマロッドに対応する温度と時間の表示パネルを設け、前記温度と時間の表示パネルは前記パーマロッドの温度及び時間設定を制御する又は表示する。
【考案の効果】
【００１３】
本発明の多機能パーマトリートメント機はコールドパーマ、ウォームパーマ、ホットパーマ、冷風熱風のドライヤー乾燥、コールドパーマ、ホット、ウォームの霧化ミストトリートメントなど多くの美容、サロンの機能を統合し、美容師、スタイリストもお客様それぞれ違う髪質、髪の量及び、違う部分の髪のカール具合に応じ、多くのパーマロッドに違うパーマ温度及び違うパーマ時間を設定できることにより、グループ化した時間のコントロールと、グループ化した温度のコントロールという二重機能を実現する。
【図面の簡単な説明】
【００１４】
【図１Ａ】本発明の第１の実施の形態に係る多機能パーマトリートメント機の機能を示したブロック図である。
【図１Ｂ】本発明の第１の実施の形態に係る多機能パーマトリートメント機の使用状態を示した図である。
【図１Ｃ】本発明の第１の実施の形態に係る多機能パーマトリートメント機の外観を示した図である。
【図１Ｄ−Ｅ】多機能パーマトリートメント機のミスト発生器の外観を示した図である。
【図１Ｆ−Ｇ】多機能パーマトリートメント機の本体、入力装置、表示装置の構成を示した概略図である。
【図１Ｈ】多機能パーマトリートメント機のミスト発生器の構成を示した図である。
【図２】本発明の第２の実施の形態に係る多機能パーマトリートメント機の機能を示したブロック図である。
【図３】本発明の第３の実施の形態に係る多機能パーマトリートメント機の機能を示したブロック図である。
【図４】本発明の第４の実施の形態に係る多機能パーマトリートメント機の機能を示したブロック図である。
【考案を実施するための形態】
【００１５】
<第１の実施の形態>
同時に図１Ａ〜図１Ｈを参照して、本発明の多機能パーマトリートメント機1は、図１Ｂに示すように、少なくとも一本のパーマロッド91に接続でき、パーマロッド91は人たちの髪を巻いたり、形作ったり（コールドパーマ、ウォームパーマ、ホットパーマを含む）することができる。通常の状態でパーマロッド91の数は複数で、それぞれがケーブル93を通し、多機能パーマトリートメント機1に接続する。使用する時、頭の周辺につけて、人たちの髪を巻く。多機能パーマトリートメント機1を通して、パーマロッド91を加熱することで、髪に様々違うカール具合がつけることができる。
【００１６】
図１Ａ〜図１Ｆに示すように、多機能パーマトリートメント機1は本体11、支柱16、台座12、ミスト発生器17、コントロールモジュール18、入力装置14、表示装置15を含む。コントロールモジュール18はタイマー183、電源出力装置181、処理装置182を含む。支柱16は台座12に設ける。本体11とミスト発生器17は支柱16に設ける。本実施形態では、ミスト発生器17は第一ピボットA1を通して本体11にヒンジ接続することで、ミスト発生器17は多機能パーマトリートメント機1にヒンジ接続し、回転可能な状態を呈する。本体11は第二ピボットA2を通して支柱16にヒンジ接続することで、本体11は支柱16に直接繋がって、支柱16と、台座12と互いに対応する回転可能な状態を呈する。
【００１７】
図１Ｇに示すように、多機能パーマトリートメント機1の本体11にタッチ機能（Touch  Control）のコントロールパネル112が設けられている。コントロールパネル112は多くの温度と時間の表示パネル114を含む。コントロールパネル112は本体11の表から見える実体を持つ構造であり、使用者が多機能パーマトリートメント機1を操作したり、コントロールしたりすると同時に、多機能パーマトリートメント機1のインターフェース、操作画面を表示することもできる。温度と時間の表示パネル114一枚につき、一本のパーマロッド91に対応して、パーマロッド91の温度及び時間設定を制御する又は表示する
【００１８】
図１Ａ に示すように、入力装置14は、コントロールモジュール18の処理装置182に接続することで、使用者が押す若しくは触れる入力動作を受けることができる。表示装置15はコントロールモジュール18の処理装置182に接続することで、コントロールモジュール18の操作インターフェースを表示することができる。図１Ｇに示すように、入力装置14は多くの温度と時間の表示パネル114のタッチコントロールデバイス(Touch  Control device、ここでは八本の矢に八個の星の円形図を表す)、押しボタン、キーボート、実体ボタン若しくは実体ノブである。このように、使用者が入力装置14を押したり、触れたり、タッチ操作したりする時、入力装置14は加熱時間信号S3若しくは加熱温度信号S4を処理装置182に発することによって、処理装置182が電源出力装置181の給電時間又は給電量を制御する。この同時使用者がぞれぞれ（又は各グループ）のパーマロッド91の加熱時間と加熱温度をはっきり知るために、表示装置14は、加熱時間信号S3に対応する時間の長短の数値又は加熱温度信号S4に対応する温度の高低の数値を表示する。つまり、本実施形態の多機能パーマトリートメント機1は「タッチコントロール」を持つ。それで多機能パーマトリートメント機1の外部表面にコントロールパネル112と、温度と時間の表示パネル114が設けられ、表示としての目的以外に、使用者が操作したり、コントロールしたりできると同時に、操りの機能と表示の機能を兼ね備える。
【００１９】
それ以外、本発明の多機能パーマトリートメント機1は「非タッチ機能」の設計としても使える。すなわち、図１Ｆに示すように、コントロールパネル112は表示の機能だけを持つ。すなわち、コントロールパネル112は表示の幕、表示スクリーン、表示フレーム若しくは表示ヘッダーであって、中の表示装置15は表示インターフェース、表示画面のAPP、ソフトウェア若しくはファームウェアである。なお、入力装置14はコントロールパネル112、表示装置15の下の押しボタン、キーボート、実体ボタン若しくは実体ノブである。
【００２０】
また図１Ａに示すように、タイマー183は処理装置182に接続することによって、処理装置182に時間計算の基準を提供する。電源出力装置181はタイマー183に接続し、且つ電源出力装置181はタイマーを通して処理装置182のコントロールを受け、多くのパーマロッド91に電流を出力する。
【００２１】
ここでは、電源出力装置181はタイマー183を通して間接的に処理装置182に接続して、または繋いで、且つ処理装置182にコントロールされる。これにより、処理装置182が電源出力装置181をコントロールする方法はタイマー183の時間基準に基づいて電源出力装置181に給電開始信号S1または給電停止信号S2を発する、若しくは処理装置18がタイマー183の時間基準に基づいて電源出力装置181の電源をオン（trun  on）、オフ（trun  off）にすることによって、電源出力装置181の電力出力をコントロールする。
【００２２】
このように、本発明の多機能パーマトリートメント機1はコントロールモジュール18を利用して、多くのパーマロッド91の加熱温度、加熱時間を制御すろことで、多くの（又は多くのグループ）パーマロッド91をそれぞれ違う温度と違う加熱時間に設定できると同時に、グループ化して加熱温度を制御すること（グループ化した温度のコントロール）と、グループ化して加熱時間を制御すること（グループ化した時間のコントロール）という二重機能を実現する。それ以外、コントロールモジュール18がパーマロッド91に対する加熱温度の設定により、本発明の多機能パーマトリートメント機1は消費者の髪に違う程度の加熱を与えたり、美容師、スタイリストがヘアスタイルに応じて任意にコールドパーマ、ウォームパーマ、ホットパーマを行ったりできる多重機能である。
【００２３】
また、同時に図１Ｄ、図１Ｅ、図１Ｈを参照して、ミスト発生器17は霧化室171と気化室172を含み、霧化室171の底部に霧化ユニット173が設けられ、前記気化室172の底部に気化ユニット174が設けられる。霧化ユニット173及び気化ユニット174は前記電源出力装置181に接続する（図１A参照）。処理装置182のコントロールより、電源出力装置181が霧化ユニット173に電源を供給する時、霧化ユニット173が超音波振動を発することで、霧化室171内の水92は振動を受けて霧化する。その霧化した水気は霧流路175に沿って流れて導き出す。同じ道理で、電源輸出装置181が気化ユニット174に電源を供給する時、気化ユニット174が温度を上げることで、気化室172内の水92は気化ユニット174からの加熱を受けて沸騰して気化する。その気化した熱気は熱気流路176に沿って流れて導き出す。また、図１Ｈに示すように、使用者の髪に向けて吹って、使用者の髪を潤して、メンテナンスするために、霧流路175内の霧と熱気流路176内の熱気とは合流ゾーン179で合流して、流れて導き出す。これにより、「高温トリートメント」の効果が実現できる。ここで、特に断っておくが、合流ゾーン179の位置はミスト発生器17の内部（つまり、熱気流路176と霧流路175とはミスト発生器17内で合流する）に設けるのと、ミスト発生器17外側表面の風吹き出し口178のところ（つまり、熱気流路176と霧流路175とはミスト発生器17の外側で合流する。図１Ｄ参照）に設けるのとどちらも行ける。なお、霧化ユニット173が霧化シートの形と霧化ユニット173が超音波振動装置の形とどちらも行ける。当然、霧化ユニット173と気化ユニット174とは処理装置182のコントロールより、ぞれぞれ選択的にオン又はオフにすることで、上述の潤し、メンテナンス、トリートメントを行う時に、選択的に気化ユニット174への給電を停止することができる。その結果、ミスト発生器17が噴出するガスは霧化室171と、霧化ユニット173が作った霧だけで、熱度を持たなくて、「低温トリートメント」のの効果が実現できる。結果として、美容師、スタイリストは第一ピボットA1を通じてミスト発生器17の角度を調整することで、ミスト発生器17を消費者の髪に向ければ、選択的に「高温」または「冷温」で消費者の髪を潤したり、メンテナンスしたり、トリートメントしたりすることができる。
【００２４】
さらに、図１Ｆに示すように、本体11の内側に弧状の風吹き出し口119が設けられている。その弧状の風吹き出し口119は本体11に掘られた細長い形をした溝又は穴であって、空気を流すことより、流し口、吹き出し口になる。本実施形態では、弧状の風吹き出し口119は円形環状または楕円環状に囲む形を呈する。他の実施形態では、弧状の風吹き出し口119は半円形、四分の一の円弧状又は他の任意曲率の円弧状でも良いのである。多機能パーマトリートメント機1の構成において、本体11とミスト発生器17とは隣り合って設けることで、弧状の風吹き出し口119もミスト発生器17と隣り合って設ける。すなわち、弧状の風吹き出し口119はミスト発生器17の外側表面の風吹き出し口178の周辺に設けられる。これにより、美容師、スタイリストはミスト発生器を通して消費者に潤し、メンテナンス、トリートメントを行うと同時に、弧状の風吹き出し口119が冷風または熱風を吹く出すことで、トリートメント、潤しの効果を強化する。特に説明して、弧状の風吹き出し口119が熱風を吹き出すのは本体11内部に設けられるPTCセラミックヒーター（未図示）を通じて空気を加熱して、温度を上げてから、流れる空気が加熱して、温度を上げたの熱風を弧状の風吹き出し口119に吹き出すという形でもできる。
<第２の実施の形態>
【００２５】
本発明には他の実施形態がある。図２を参照して、図２に書いてあるのは本発明の第２実施形態の多機能パーマトリートメント機の機能のブロック図である。図２に示すように、本実施形態と第一の実施の形態（図１Ａ）との違いはコントロールモジュール181の電源出力装置181がタイマー183を通して間接的に処理装置182に接続するのではなく、その電源出力装置181が直接に処理装置182に接続することである。これにより、処理装置182はタイマー183の時間基準に基づいて、直接に電源出力装置181がパーマロッド91、気化ユニット174または霧化ユニット173に給電する（または給電しない）ことを制御することができる。
<第３の実施の形態>
【００２６】
図３を参照して、図３に書いてあるのは本発明の第３実施形態の多機能パーマトリートメント機の機能のブロック図である。図３に示すように、本実施形態と第一の実施の形態（図１Ａ）との違いは電源出力装置181はコントロールモジュール18内のユニットまたは構造ではない。本実施形態では、多機能パーマトリートメント機1のコントロールモジュール18はタイマー183及び処理装置182を含む。電源出力装置181はタイマー183が処理装置182に接続して、タイマー183が電源出力装置181に接続することで、処理装置182のコントロールを受けることによって、パーマロッド91、気化ユニット174または霧化ユニット173に電流を出力する。その中で、電源出力装置181がコントロールモジュールの外にあるメリットはより高いパワーの電源出力装置181に会わせたり、使ったり、組み合わせたりできることによりって、より多くのパーマロッド91に給電する（パーマロッド91が多ければ多いほど消費電力が多い）。当然、様々なニーズに応じて違うパワーの電源出力装置181を使うために、電源出力装置181はコントロールモジュール18の外に位置する。これにより、工場がモジュラー生産またはカスダム生産するには便利である。
<第４の実施の形態>
【００２７】
図４を参照して、図４に書いてあるのは本発明の第４実施形態の多機能パーマトリートメント機の機能のブロック図である。図４に示すように、本実施形態と第三の実施の形態（図３）との違いは単なる電源出力装置181がコントロールモジュール18の外部の装置または構造である。他の装置の構造と機能は全部前述と同じで、贅言しない。
【００２８】
上述をまとめて、本発明の多機能パーマトリートメント機1はコントロールモジュール18を利用して、多くのパーマロッド91の加熱温度、加熱時間を制御すろことで、多くの（又は多くのグループ）パーマロッド91をそれぞれ違う温度と違う加熱時間に設定できると同時に、「グループ化した温度のコントロール」と、「グループ化した時間のコントロール」という二重機能を実現する。これにより、コントロールモジュール18がパーマロッド91に対する加熱温度の設定により、本発明の多機能パーマトリートメント機1は消費者の髪に違う程度の加熱を与えたり、美容師、スタイリストがヘアスタイルに応じて任意にコールドパーマ、ウォームパーマ、ホットパーマを行ったりできる多重機能である。また、ミスト発生器17の使用を通じて、霧、熱気を消費者の髪に向けて噴出して、「高温トリートメント」、「低温トリートメント」の潤し、メンテナンス、トリートメントの機能を実現する。なので、故に本発明が述べた多機能パーマトリートメント機1はパーマとトリートメントのニーズを満足する多重機能を持って、巨大な商業的応用のポテンシャルを備える。
【符号の説明】
【００２９】
１      多機能パーマトリートメント機
１１    本体
１２    台座
１４    入力装置
１５    表示装置
１６    支柱
１７    ミスト発生器
１８    コントロールモジュール
９１    パーマロッド
９２    水
９３    ケーブル
１１２  コントロールパネル
１１４  温度と時間の表示パネル
１１９  弧状の風吹き出し口
１７１  霧化室
１７２  気化室
１７３  霧化ユニット
１７４  気化ユニット
１７５  霧流路
１７６  熱気流路
１７８  風吹き出し口
１７９  合流ゾーン
１８１  電源出力装置
１８２  処理装置
１８３  タイマー
Ａ１    第一ピボット
Ａ２    第二ピボット
Ｓ１    給電開始信号
Ｓ２    給電停止信号
Ｓ３    加熱時間信号
Ｓ４    加熱温度信号
【図１Ａ】
0003194490.tif 000003
【図１Ｂ】
0003194490.tif 000004
【図１Ｃ】
0003194490.tif 000005
【図１Ｄ】
0003194490.tif 000006
【図１Ｅ】
0003194490.tif 000007
【図１Ｆ】
0003194490.tif 000008
【図１Ｇ】
0003194490.tif 000009
【図１Ｈ】
0003194490.tif 000010
【図２】
0003194490.tif 000011
【図３】
0003194490.tif 000012
【図４】
0003194490.tif 000013
【手続補正書】
【提出日】平成26年10月2日(2014.10.2)
【手続補正１】
【補正対象書類名】明細書
【補正対象項目名】００１４
【補正方法】変更
【補正の内容】
【００１４】
【図１Ａ】本発明の第１の実施の形態に係る多機能パーマトリートメント機の機能を示したブロック図である。
【図１Ｂ】本発明の第１の実施の形態に係る多機能パーマトリートメント機の使用状態を示した図である。
【図１Ｃ】本発明の第１の実施の形態に係る多機能パーマトリートメント機の外観を示した図である。
【図１Ｄ】多機能パーマトリートメント機のミスト発生器の外観を示した図である。
【図１Ｅ】多機能パーマトリートメント機のミスト発生器の外観を示した図である。
【図１Ｆ】多機能パーマトリートメント機の本体、入力装置、表示装置の構成を示した概略図である。
【図１Ｇ】多機能パーマトリートメント機の入力装置及び表示装置の構成を示した概略図である。
【図１Ｈ】多機能パーマトリートメント機のミスト発生器の構成を示した図である。
【図２】本発明の第２の実施の形態に係る多機能パーマトリートメント機の機能を示したブロック図である。
【図３】本発明の第３の実施の形態に係る多機能パーマトリートメント機の機能を示したブロック図である。
【図４】本発明の第４の実施の形態に係る多機能パーマトリートメント機の機能を示したブロック図である。